(57)【要約】【課題】自走式の洗車機本体に加えて被洗浄車両を移動させる車両移動装置を備えた洗車機において、設備コストを低減でき、さらに、洗車機本体の低床化を図ることが可能な洗車機を提供する。【解決手段】洗車機本体１とは別に、被洗浄車両ＣＡを移動可能な車両移動装置３０を備え、車両移動装置３０が洗車機本体１の門型の内部および移動範囲内に納まる大きさとし、車両移動装置３０が備える移動台車３０Ａ、３０Ｂは床面に設置する床板３３上を滑って移動すると共に、床板３３に対面する下面側に、耐熱性と低摩擦特性と自己潤滑性を備えた潤滑性樹脂３２を備えた構成の洗車機ＷＡとした。【選択図】図１
2016034784.tif 000002
【特許請求の範囲】
【請求項１】
被洗浄車両と洗車機本体を前後方向に相対移動させながら被洗浄車両の洗車を行う洗車機であって、
洗車機本体とは別体の被洗浄車両を載置して前後方向に移動させる車両移動装置を備え、
前記車両移動装置は、被洗浄車両を載置する移動台車と該移動台車を移動させる直動移動手段とを有し、
前記移動台車の下面と床面に設置する床板との間に、耐熱性と低摩擦特性と自己潤滑性を備えた潤滑性樹脂を配置し、前記移動台車は床面に設置する床板上を滑って移動することを特徴とする洗車機。
【請求項２】
前記移動台車は、被洗浄車両の左側の前輪と後輪が乗る左側移動台車と、右側の前輪と後輪が乗る右側移動台車との左右一対の台車を有し、それぞれの台車に前記直動移動手段を配設し、該直動移動手段を介して左右一対の台車を同時に進退駆動することを特徴とする請求項１に記載の洗車機。
【請求項３】
前記床板は、床面に設置する底板と上方に折り曲げた側板を有する断面コの字状の板金製とされ、側板部に前記移動台車の移動をガイドする直動ガイド部材を設けたことを特徴とする請求項１または２に記載の洗車機。
【請求項４】
前記潤滑性樹脂は複数の短冊状の潤滑性樹脂片を有し、前記移動台車の下面の当該台車に載置される被洗浄車両の車輪位置に応じた部位には、移動方向に直交する左右方向に複数列の潤滑性樹脂片を並設したことを特徴とする請求項１から３のいずれかに記載の洗車機。
【請求項５】
前記移動台車の移動方向の端部に、前記床板に接触する清掃部材を配設したことを特徴とする請求項１から４のいずれかに記載の洗車機。
【請求項６】
前記潤滑性樹脂は、前記床板の上、および、前記移動台車の下面、のいずれか一方、もしくは両方に配置されることを特徴とする請求項１から５のいずれかに記載の洗車機。
【発明の詳細な説明】
【技術分野】
【０００１】
本発明は、例えば給油所に設置され洗車に使用される洗車機に関し、特に、車両移動装置を備えた洗車機に関する。
【背景技術】
【０００２】
従来、洗車に使用される洗車機としては、給油所などに設置されて、被洗浄車両と洗車機本体を前後方向に相対移動させながら、被洗浄車両に貯液タンクに貯留された液剤や洗浄水を噴射して、また、ブラッシングして洗車を行う構成とされる門型洗車機が知られている。
【０００３】
従来の門型洗車機の洗車方法は、先ず、洗浄水を用いて汚れを落とし、次いでシャンプーなどの液剤を用いて洗浄し、さらに洗浄水を用いて水洗いする洗浄工程を実施する。この洗浄工程の後で、各送風ノズルから送風して乾燥する乾燥工程が行われる。また、必要に応じてワックスや撥水コートなどの液剤塗布工程を適宜組み合わせて洗車を行う。また、複数の洗車モードから所望のモードを選択し、使用する液剤の種類を選択して所定の洗車モードに設定する操作パネルやリモートパネルを備えている。操作パネルは洗車機本体に配設しているが、リモートパネルは洗車機本体から離れた位置に設置して、このリモートパネルと操作パネルとを電気的に接続して、リモートパネルに設定された洗車モードにより、洗車機を駆動可能にしている。
【０００４】
上記した洗車機においては、被洗浄車両の側面をブラッシングするためのサイドブラシと上面をブラッシングするためのトップブラシと、ブラッシング洗浄した後で乾燥するためのサイド送風ノズルとトップ送風ノズルを備えているものが知られている。また、サイドブラシやトップブラシを被洗浄車両に軽く当接させた状態でブラッシング洗浄するために、例えば、左右一対のサイドブラシを左右方向に移動可能（開閉可能）に支持し、トップブラシを上下に昇降可能に支持して、それぞれのブラシと車体との反発バランスにより、ブラシ位置を車体表面から一定距離に保つようにしている。また、それぞれのブラシを回転駆動するモータの電流値を検知し、この電流値を所定範囲内に抑制するように開閉移動もしくは昇降移動制御することにより、被洗浄車両の形状に沿って洗浄することが行われている。
【０００５】
また、既設の給油所に新たに洗車機を設置する場合や、建屋内に洗車機を設置する場合などのように、設置スペースに余裕がない場所に洗車機を設置する際には、洗車機本体をコンパクトにするだけでなく、洗車に必要な空間をできるだけ小さくできることが好ましい。すなわち、被洗浄車両と洗車機本体との相対移動距離を小さくして洗車可能なように洗車機の省スペース化を図ることが望ましい。
【０００６】
洗車機の省スペース化を図るために、自走式の洗車機本体に加えて、被洗浄車両を移動させる車両移動装置を設けることにより、洗車機本体の移動距離を小さくしながら洗車機本体と被洗浄車両との相対移動距離を確保して洗車を行う構成が従来採用されている。
【０００７】
例えば、特許文献１（実公平０２−２８１３１号公報）には、外側のレール上を走行する門型の洗車フレームと、チェーンを用いた伝動機構により内側に設けたレール上を前後に移動する台車を備えた洗車機が開示されている。特許文献２（特許第３４１３７９７号公報）にも、外側レール上を往復走行する洗車装置本体と、内側レール上を往復走行する台車とを備えた洗車装置が開示されている。また、特許文献２の台車の走行は洗車装置本体の移動を利用して、ロープ状体と移動プーリを介して洗車装置本体の半分の距離、移動するように設定されている。
【０００８】
いずれの構成であっても、自立走行する洗車機本体に加えて、被洗浄車両を載置して移動させるための台車を併用することにより、洗車に必要な空間をできるだけ小さくできて、洗車機の省スペース化を図ることが可能になる。
【先行技術文献】
【特許文献】
【０００９】
【特許文献１】実公平０２−２８１３１号公報
【特許文献２】特許第３４１３７９７号公報
【発明の概要】
【発明が解決しようとする課題】
【００１０】
上記したように、自走式の洗車機と被洗浄車両を移動させる車両移動装置を併用することにより洗車機の走行移動距離を小さくして洗車スペースの省スペース化を図ることが可能になる。しかし、特許文献１のように、自走式の洗車機に加えて被洗浄車両を移動させるための駆動手段を備えた車両移動装置を設ける構成は、モータや減速機やチェーンやプーリなどが駆動手段が必要になるので設備コストが高くなって問題となる。
【００１１】
また、特許文献２では、洗車機本体の移動に応じて、その半分の距離、台車を逆方向に移動するだけであるので、駆動手段の設備コストは低減可能であるが、洗車機本体と台車とをそれぞれ独立して駆動することはできない構成であり、多様な洗車パターンに容易に対応することができずに問題となる。
【００１２】
また、いずれの場合であっても、洗車機本体を移動させるために設ける外側レールの内側に、台車を移動させるための内側レールを設け、この内側レールの上を被洗浄車両を載置した台車が移動する構成となるので、レール高さと台車高さを加えた分車両高さが高くなってしまう。そのために、車両上面を洗車する洗車設備の高さも高くする必要が生じてしまい、洗車機本体の低床化を図ることができなくなって問題となる。
【００１３】
そこで、洗車機本体とは別置の車両移動装置を設けて洗車機を設置するスペースの省スペース化を図りながら、設備コストを低減でき、さらに、車両移動装置を併設する構成であっても洗車機本体の低床化を図ることが可能な構成であることが好ましい。
【００１４】
本発明は、上記問題点に鑑み、自走式の洗車機本体に加えて被洗浄車両を移動させる車両移動装置を備えた洗車機において、設備コストを低減でき、さらに、洗車機本体の低床化を図ることが可能な洗車機を提供することを目的とする。
【課題を解決するための手段】
【００１５】
上記目的を達成するために本発明は、被洗浄車両と洗車機本体を前後方向に相対移動させながら被洗浄車両の洗車を行う洗車機であって、洗車機本体とは別体の被洗浄車両を載置して前後方向に移動させる車両移動装置を備え、車両移動装置は、被洗浄車両を載置する移動台車と該移動台車を移動させる直動移動手段とを有し、移動台車は床面に設置する床板上を滑って移動すると共に、床板に対面する下面側に、耐熱性と低摩擦特性と自己潤滑性を備えた潤滑性樹脂を備えたことを特徴としている。
【００１６】
この構成によると、車両移動装置は、床板上を滑らせるようにして被洗浄車両を載置した移動台車を移動させるので、被洗浄車両の高さを必要以上に高くせず、低く抑えることが可能になる。また、設備コストを低減可能になる。従って、設備コストを低減でき、さらに、低床化を図ることが可能な洗車機を得ることができる。
【００１７】
また本発明は、上記構成の洗車機において、前記移動台車は、被洗浄車両の左側の前輪と後輪が乗る左側移動台車と、右側の前輪と後輪が乗る右側移動台車との左右一対の台車を有し、それぞれの台車に前記直動移動手段を配設し、該直動移動手段を介して左右一対の台車を同時に進退駆動することを特徴としている。この構成によると、被洗浄車両の左右の車輪をそれぞれ左右の台車に載せた後、直動移動手段を介して一体に駆動して、被洗浄車両を洗車機本体に対して前後に移動できる。
【００１８】
また本発明は、上記構成の洗車機において、前記床板は、床面に設置する底板と上方に折り曲げた側板を有する断面コの字状の板金製とされ、側板部に前記移動台車の移動をガイドする直動ガイド部材を設けたことを特徴としている。この構成によると、直動移動手段を駆動して移動台車を前後方向に移動させる際に、直動ガイド部材を介して被洗浄車両を載置した移動台車をガタツキなくスムーズに移動させることができる。
【００１９】
また本発明は、上記構成の洗車機において、前記潤滑性樹脂は複数の短冊状の潤滑性樹脂片を有し、前記移動台車の下面の当該台車に載置される被洗浄車両の車輪位置に応じた部位には、移動方向に直交する左右方向に複数列の潤滑性樹脂片を並設したことを特徴としている。この構成によると、車幅の異なる複数タイプの被洗浄車両に対して、それぞれの被洗浄車両の荷重をバランスよく均等に受けることができて、スムーズな摺動移動を行うことが可能になる。
【００２０】
また本発明は、上記構成の洗車機において、前記移動台車の移動方向の端部に、前記床板に接触する清掃部材を配設したことを特徴としている。この構成によると、移動台車が移動する度に、潤滑性樹脂が当接する床板上を清掃するので、移動台車のスムーズな摺動移動を持続できる。
【００２１】
また本発明は、上記構成の洗車機において、前記潤滑性樹脂は、前記床板の上、および、前記移動台車の下面、のいずれか一方、もしくは両方に配置されることを特徴としている。この構成によると、いずれの場合であっても、床板と移動台車の下面との間に潤滑性樹脂が介装されることになり、移動台車は容易に床板上を滑って移動する。
【発明の効果】
【００２２】
本発明によれば、自走式の洗車機本体とは別に車両を移動させる装置として、下面に設けた潤滑性樹脂を介して、板金製の床板上を滑って摺動移動する移動台車を用いた構成としたので、設備コストが低減可能になり、被洗浄車両の高さが高くならずに洗車機本体の低床化を図ることが可能になる。従って、設備コストを低減でき、さらに、洗車機本体の低床化を図ることが可能な洗車機を得ることができる。
【図面の簡単な説明】
【００２３】
【図１】本発明に係る洗車機の移動範囲を説明する概略側面図である。
【図２】本発明に係る洗車機の概略正面図である。
【図３】洗車機の全体構成を示す概略側面図である。
【図４】車両移動装置を説明する概略平面図である。
【図５】車両移動装置を説明する概略断面図である。
【図６】移動台車の移動方向の端部に設ける清掃部材を説明する概略断面図である。
【図７Ａ】移動台車に装着する潤滑性樹脂の第１の配置構成例を示す平面図である。
【図７Ｂ】移動台車に装着する潤滑性樹脂の第２の配置構成例を示す平面図である。
【図８】移動台車上に載置する車輪位置を示す概略説明図である。
【発明を実施するための形態】
【００２４】
以下に本発明の実施形態を図面を参照して説明する。また、同一構成部材については同一の符号を用い、詳細な説明は適宜省略する。
【００２５】
本実施形態に係る洗車機ＷＡは、図２の概略正面図および図３の概略側面図に示すように、左右の対向する２つのスタンド部９０の上端を連結する天井部９１を有して門型に形成される洗車機本体（本体部）１を備える。被洗浄車両ＣＡが洗車機本体１に進入する進入経路上にはリモートパネル７Ａが配される。被洗浄車両ＣＡはリモートパネル７Ａの面前で停車し、リモートパネル７Ａの操作によって洗車の受け付け等を行う。
【００２６】
洗車機本体１の底面には、地面に設けられた左右一対のレール２上に配される車輪３が設けられる。これにより、洗車機本体１はレール２上を走行して被洗浄車両ＣＡに対して前後に相対移動するように立設される。
【００２７】
洗車機本体１には被洗浄車両ＣＡをブラッシングする複数の回転するブラシを設けている。ブラシはトップブラシ４、サイドブラシ５及びロッカーブラシ６から成っている。トップブラシ４は被洗浄車両ＣＡの上面をブラッシングして洗浄し、布（織布、編布、不織布等）や樹脂繊維から成るブラシ体を放射状に固着して形成される。
【００２８】
サイドブラシ５は左右一対設けられ、被洗浄車両ＣＡの両側面と後面に摺動して被洗浄車両ＣＡを洗浄する。ロッカーブラシ６は左右一対設けられ、被洗浄車両ＣＡのタイヤを含む側面下部を洗浄する。サイドブラシ５及びロッカーブラシ６もトップブラシ４と同様の回転軸及びブラシ体を有している。
【００２９】
洗車機本体１の一方の側方には洗剤やワックス等の各種液剤を貯液する複数の貯液タンク（不図示）を収納するタンク収納部１７が配される。タンク収納部１７の上方には市水及び各貯液タンクからの液剤を電磁弁等を介して分配する分配配管部１８が設けられる。分配配管部には第１、第２浄水ノズル１１、１３、洗剤ノズル１２、撥水コートやワックスを噴射する液剤ノズル１４などが導出される。洗車機本体１の後方には洗浄液や高圧空気を供給する供給部（不図示）が設けられ、分配配管部に接続される。洗浄液は市水だけでなく、洗剤やワックス等の各種液剤と混合されてもよい。
【００３０】
また、洗車機本体１には被洗浄車両ＣＡを乾燥させる送風ノズルとしてトップ送風ノズル２１とサイド送風ノズル２２とを設けている。洗車機本体１の手前側上部にはトップ送風ノズル２１が設けられ、両側方にサイド送風ノズル２２が設けられる。トップ送風ノズル２１及びサイド送風ノズル２２はブロワ２０からの送風を被洗浄車両ＣＡに対して吹き付けて乾燥させる。
【００３１】
洗車機本体１の前面上部には車両センサ８（車形検知部）が設けられている。車両センサ８は光電センサや超音波センサ等から成り、洗車機本体１に進入する被洗浄車両ＣＡを検知し車体の幅方向突出した装備品も検知する。また、洗車機本体１の入り口部には、被洗浄車両ＣＡの車形を検知する車形検知センサ９（車形検知部）を設けている。この車形検知センサ９は、透過式光電センサからなるエリアセンサであって、洗車機本体１の一方の側部の上下方向に投光器を併設し、これらの投光器に対向する他方の側部の上下方向に受光器を併設することで、洗浄位置に進入してくる被洗浄車両の車形を検知して、その先端部と後端部および車高や形状を検知する。この車両センサ８と車形検知センサ９とで車両の有無と車形を検知する。
【００３２】
洗車機本体１の一方の側方の前面には操作パネル７が配される。操作パネル７はリモートパネル７Ａと同様の操作ボタンを備え、被洗浄車両ＣＡから降車したユーザ等の操作により洗車の受け付けや洗車条件の設定を行う。
【００３３】
洗車条件の設定としてはシャンプー、ワックス掛け、撥水コート等を水洗いに追加するボタンが操作パネル７及びリモートパネル７Ａに設けられる。また、高級なシャンプー、高級なワックス（例えば、艶出しコーティング）、高級な撥水コート、特殊なコート等を行うボタンも設けられている。さらに、フロントガード有り、フェンダーポール有り、ドアミラー有り、リヤワイパー有り、該当装備品無し等の装備品設定ボタンが設けられている。
【００３４】
また、図１に示すように、本実施形態に係る洗車機ＷＡは、自走式の洗車機本体１とは別体の被洗浄車両ＣＡを載置して前後方向に移動させる車両移動装置３０を備えた構成とされる。洗車機本体１は被洗浄車両ＣＡを跨ぐ門型とされ、車両移動装置３０は門型の内部に設置される。
【００３５】
車両移動装置３０は、被洗浄車両ＣＡを載置する移動台車３０Ａ、３０Ｂを有し、移動台車３０Ａ、３０Ｂの床板に対面する下面側に、耐熱性と低摩擦特性と自己潤滑性を備えた潤滑性樹脂３２を備えて、床板上を滑って移動する構成としている。
【００３６】
図１に示すように、洗車機本体１は被洗浄車両ＣＡの前後方向に距離Ｌ１走行可能とされる。車両移動装置３０は、移動台車３０Ａ、３０Ｂ上に載置した被洗浄車両ＣＡを距離Ｌ２移動可能とされる。距離Ｌ２は距離Ｌ１よりも短くて、例えば、距離Ｌ１が５．５ｍで距離Ｌ２が１．５ｍ程度である。
【００３７】
例えば、図１に示す矢印Ｄ２方向に被洗浄車両ＣＡが進入してスロープ３１から車両移動装置３０の移動台車３０Ａ、３０Ｂ上に乗って停止する。すると、待機状態にある洗車機本体１Ａが矢印Ｄ１方向に移動して洗車操作を開始する。洗車機本体１は距離Ｌ１移動して移動端の洗車機本体１Ｂ位置に到達する。この際に、車両移動装置３０を介して被洗浄車両ＣＡを距離Ｌ２移動させることができる。
【００３８】
従って、洗車機本体１が移動する距離Ｌ１（例えば、５．５ｍ）に、車両移動装置３０を介して被洗浄車両ＣＡを移動させる距離Ｌ２（例えば、１．５ｍ）を加えた距離（例えば、７ｍ）が洗車機ＷＡの洗車領域となる。すなわち、洗車領域が７ｍ必要な場合に実際の洗車機本体１の移動距離Ｌ１は５．５ｍでよいことになり、洗車機ＷＡを設置する際に省スペース化を図ることができる。
【００３９】
上記したように車両移動装置３０は、床板上を滑って移動する移動台車３０Ａ、３０Ｂに被洗浄車両ＣＡを載置するので、床面にレールを敷設して台車側に車輪やローラ等を配設する構成と比較して被洗浄車両ＣＡの高さを低く抑えることができる。従って、洗車機本体側の設備を高くする必要がなくなって、洗車機本体１の低床化を図ることが可能になる。また、駆動モータやチェーンやプーリなどが不要になるので、設備コストを低減可能になる。従って、設備コストを低減でき、さらに、低床化を図ることが可能な洗車機ＷＡを得ることができる。
【００４０】
次に、車両移動装置３０について図４、図５を用いてさらに説明する。
【００４１】
車両移動装置３０は、図４に示すように、被洗浄車両ＣＡの左側の前輪と後輪が乗る左側移動台車３０Ａと、右側の前輪と後輪が乗る右側移動台車３０Ｂとの左右一対の台車を有する。また、それぞれの台車に直動移動手段４１Ａ、４１Ｂを配設して、左右同時に進退駆動可能とされる。この構成であれば、被洗浄車両ＣＡの左右の車輪をそれぞれ左右の移動台車３０Ａ、３０Ｂに載せた後、直動移動手段４１Ａ、４１Ｂを介して一体に駆動して、被洗浄車両ＣＡを洗車機本体１に対して前後に移動できる。
【００４２】
すなわち、移動台車３０Ａ、３０Ｂは被洗浄車両ＣＡの４輪が載置可能な間隔と長さを有する。例えば、小型乗用車のトレッド幅とホイールベース長さ、および、大型乗用車のトレッド幅とホイールベース長さに共に対応可能なサイズとされる。また、直動移動手段４１Ａ、４１Ｂを介して移動台車３０Ａ、３０Ｂ上に載置した被洗浄車両ＣＡを１５００ｍｍ移動させることができる。
【００４３】
床面には床板３３が敷設されており、移動台車３０Ａ、３０Ｂは、床板３３に対面する断面コの字状の板金製の上板３４の下面側に耐熱性と低摩擦特性と自己潤滑性を備えた潤滑性樹脂３２を備えた構成として、直動移動手段４１Ａ、４１Ｂを介して床板３３上を滑って移動する。直動移動手段４１Ａ、４１Ｂはそれぞれ支持部４２に支持固定され、駆動端部を駆動締結部３６に連結している。
【００４４】
すなわち、移動台車３０Ａは、直動移動手段４１Ａを介して距離Ｌ２直動移動され、移動台車３０Ｂは、直動移動手段４１Ｂを介して距離Ｌ２直動移動される。また、移動台車３０Ａは、スロープ３１と上板３４と連結補強板３５、３７と駆動締結部３６とを備え、駆動締結部３６にて直動移動手段４１Ａと連結される。移動台車３０Ｂも同様に、スロープ３１と上板３４と連結補強板３５、３７と駆動締結部３６とを備え、駆動締結部３６にて直動移動手段４１Ｂと連結される。
【００４５】
直動移動手段４１Ａ、４１Ｂは、エアシリンダー、油圧シリンダー、電動シリンダーなどの直動アクチュエーターを用いることができる。また、駆動モータであってもよい。例えば、エアシリンダーであれば、内径８０×ストローク１５００ｍｍのエアシリンダーを用いるとよい。
【００４６】
移動台車３０Ａ、３０Ｂは床面に設置した床板３３上を摺動移動する。図５に示すように、床板３３は、底板と長手方向の両側を上方に折り曲げた側板を有する断面コの字状の板金製とされ、側板部に移動台車の移動をガイドする直動ガイド部材３８を設けた構成としている。直動ガイド部材３８は例えばリニアガイドから成る。この構成であれば、直動移動手段４１を駆動して移動台車を前後方向に移動させる際に、直動ガイド部材３８を介して被洗浄車両ＣＡを載置した移動台車３０Ａ、３０Ｂをガタツキなくスムーズに移動させることができる。
【００４７】
直動移動手段４１Ａ、４１Ｂのストローク長は１５００ｍｍであるが、直動ガイド部材３８の設置長さは約３０００ｍｍとしている。これは、移動台車３０Ａ、３０Ｂが１５００ｍｍ移動する際に直動ガイド部材３８を介してガタツキなくガイドするためである。これにより、移動台車３０Ａ、３０Ｂの摺動移動を安定して行うことが可能になる。
【００４８】
潤滑性樹脂３２は摺動移動し易いように短冊状の潤滑性樹脂片３２ａ、３２ｂ、３２ｃを複数配設する構成でよい。また、車幅が異なり左右の車輪間寸法であるトレッド幅が異なる各種タイプの被洗浄車両ＣＡに対応させるために、それぞれの車輪位置に応じた部位には、左右方向に複数列の潤滑性樹脂片を並設していることが好ましい。この構成であれば、車幅の異なる複数タイプの被洗浄車両ＣＡに対して、それぞれの被洗浄車両ＣＡの荷重をバランスよく均等に受けることができて、スムーズな摺動移動を行うことが可能になる。
【００４９】
床板３３の上を移動台車３０Ａ、３０Ｂが摺動移動するので、移動台車３０Ａ、３０Ｂの移動方向の端部に、床板３３に接触する清掃部材を配設していることが好ましい。この構成であれば、移動台車３０Ａ、３０Ｂが移動する度に、潤滑性樹脂３２が当接する床板上を清掃するので、移動台車３０Ａ、３０Ｂのスムーズな摺動移動を持続できる。
【００５０】
例えば、図６に示すようなゴム板から成る清掃部材３９を上板３４に取り付けるとよい。清掃部材３９は布製であってもブラシであってもよく、特には限定されない。いずれにしても、移動台車３０Ａ、３０Ｂの往復移動の際に、床板３３に当接して、床上のごみや砂などの異物を除去できる構成であればよい。例えば、上板３４が図中の矢印Ｄ３方向に移動すると清掃部材３９を介して床板３３上の異物を除去できる。清掃部材３９は上板３４の前方側に設けるだけでもよいが、後方側に設けてもよい。すなわち、移動方向の両端部に設けることができる。
【００５１】
次に、図７Ａ、図７Ｂを用いて潤滑性樹脂片の配置構成について説明する。図７Ａは、移動台車に装着する潤滑性樹脂の第１の配置構成例を示す平面図であり、図７Ｂは第２の配置構成例を示す平面図である。
【００５２】
移動台車３０Ａ、３０Ｂの上板３４の下面側に装着する短冊状の潤滑性樹脂片の配置構成は、被洗浄車両ＣＡを載置した状態で、移動台車３０Ａ、３０Ｂがスムーズに摺動移動できる構成であることが好ましい。例えば、所定厚み（例えば３０ｍｍ程度）の矩形状の樹脂片を移動方向に揃えて直線状に並設する構成が好ましい。また、移動方向に揃えて直線状に並設する直線片に加えて、直線的に移動する際に、移動方向に調心するように傾斜させた傾斜片を設置した構成であってもよい。
【００５３】
図７Ａには移動方向に揃えて直線状に並設した潤滑性樹脂の第１の配置構成例である配置構成ＰＣ１を示し、図７Ｂに移動方向に揃えて直線状に並設する直線片に加えて、直線的に移動する際に、移動方向に調心するように傾斜させた傾斜片を設置した潤滑性樹脂の第２の配置構成例である配置構成ＰＣ２を示す。
【００５４】
図７Ａに示すように、移動方向に揃えて直線状に並設する場合には、前輪が乗る部位の先端側には、左右３列（中央部樹脂片３２ａ、側部樹脂片３２ｂ、３２ｂ）を設置し、後輪が乗る部位の後端側にも左右３列（中央部樹脂片３２ｇ、側部樹脂片３２ｆ、３２ｆ）を設置する。また、その間の中間部は、左右２列の長尺な直線状樹脂片でもよいが、本実施形態では、長さ方向に分断して、前方側から順に、直線状樹脂片３２ｃ、３２ｄ、３２ｅ、を設置している。
【００５５】
３２ｃは、中央部樹脂片３２ａと側部樹脂片３２ｂとの間に相当する部位に設置される直線状樹脂片であり、３２ｄは、側部樹脂片３２ｂに相当する部位に設置される直線状樹脂片であり、３２ｅは、中央部樹脂片３２ｇと側部樹脂片３２ｆとの間に相当する部位に設置される直線状樹脂片である。
【００５６】
図６Ａに示す配置構成ＰＣ１によれば、移動方向に沿って複数の直線片を直線状に並設すると共に、車輪が載置する部位の左右方向の３列配置とその後方の左右２列とが段ちになって、併せると左右方向に５列に配置された構成となる。従って、移動台車３０Ａ、３０Ｂの上板３４の全面に付加される被洗浄車両ＣＡの荷重をバランスよく均等に受けることができて、スムーズな摺動移動を行うことが可能になる。
【００５７】
図７Ｂに示すように、移動方向に揃えて直線状に並設する樹脂片に加えて、移動方向に調心するように傾斜させた傾斜片を設置した第２の配置構成例の場合には、前輪が乗る部位の先端側には、左右両側の側部樹脂片３２ｂ、３２ｂと中央部のハ型に設置される傾斜樹脂片３２ａａ、３２ａｂを設置し、後輪が乗る部位の後端側にも左右両側の側部樹脂片３２ｆ、３２ｆと中央部のハ型に設置される傾斜樹脂片３２ｇａ、３２ｇｂを設置する。また、その間の中間部は、中央部にハ型に設置される長尺な傾斜樹脂片３２Ｃａ、３２ｅａと、左右両側の側部樹脂片３２ｃｂ、３２ｄ、３２ｅｂ、を設置している。
【００５８】
中央部の長尺な傾斜樹脂片３２ｃａと３２ｅａとでは、その傾斜の向きを逆方向にしており、共に中央部が開いて、端部側に向かうにつれて閉じるハ型としている。これにより、前進・後進の移動の際の調心効果を得ると共に、車輪載置部領域の潤滑性樹脂３２の高密度化を図ることが可能になる。
【００５９】
従って、図７Ｂに示す配置構成ＰＣ２によれば、車輪載置部領域の重量負担力が高くなって項重量の被洗浄車両ＣＡに対して有効になり、大型車であっても確実に載置して前後に摺動移動させることが可能になる。
【００６０】
上記の配置構成ＰＣ１と配置構成ＰＣ２は車両移動装置３０の移動台車３０Ａ、３０Ｂにそれぞれ採用できる。すなわち、左右両方に配置構成ＰＣ１の潤滑性樹脂３２を設けた構成でもよく、左右の片方に配置構成ＰＣ１の潤滑性樹脂３２を設け、他方に配置構成ＰＣ２の潤滑性樹脂３２を設けた構成でもよい。また、左右両方に配置構成ＰＣ２の潤滑性樹脂３２を設けた構成であってもよい。
【００６１】
次に、図８を用いて移動台車３０Ａ、３０Ｂの上に被洗浄車両ＣＡが載置した際の、前輪および後輪の載置部位と潤滑性樹脂３２を構成する各潤滑性樹脂片の配設部位について説明する。また、移動台車３０Ａ側に配置構成ＰＣ２タイプを採用し、移動台車３０Ｂ側に配置構成ＰＣ１タイプを採用した例を用いて説明する。
【００６２】
被洗浄車両ＣＡとして、トレッド幅が狭くホイールベース長さも短い小型の被洗浄車両ＣＡ１と、トレッド幅が広くホイールベース長さも長い大型の被洗浄車両ＣＡ２との２種類のタイプを示し、それぞれの車輪位置について考察する。
【００６３】
小型の被洗浄車両ＣＡ１が移動台車３０Ａ、３０Ｂ上に載置して所定の停止位置に停車すると、移動台車３０Ｂ上の前輪の下側には中央部樹脂片３２ａと側部樹脂片３２ｂと内側の直線状樹脂片３２ｃとが位置して、これらの３つの樹脂片を介して荷重を負担する構成となる。
【００６４】
また、移動台車３０Ｂ上の後輪の下側には中央部樹脂片３２ｇと側部樹脂片３２ｆと内側の直線状樹脂片３２ｅとが位置して、これらの３つの樹脂片を介して荷重を負担する構成となる。
【００６５】
また、配置構成ＰＣ２タイプの移動台車３０Ａ上の前輪の下側には傾斜樹脂片３２ａｂと側部樹脂片３２ｂと傾斜樹脂片３２ｃａ、３２ｃａの閉じた部分とが位置しており、これらの４つの樹脂片を介して荷重を負担する構成となる。
【００６６】
同じく、移動台車３０Ａ上の後輪の下側には傾斜樹脂片３２ｇｂと側部樹脂片３２ｆと傾斜樹脂片３２ｅａ、３２ｅａの閉じた部分とが位置しており、これらの４つの樹脂片を介して荷重を負担する構成となる。
【００６７】
大型の被洗浄車両ＣＡ２の場合は、被洗浄車両ＣＡ２が移動台車３０Ａ、３０Ｂ上に載置して所定の停止位置に停車すると、移動台車３０Ｂ上の前輪の下側には中央部樹脂片３２ａと外側の側部樹脂片３２ｂと外側の直線状樹脂片３２ｃとが位置して、これらの３つの樹脂片を介して荷重を負担する構成となる。
【００６８】
また、移動台車３０Ｂ上の後輪の下側には中央部樹脂片３２ｇと外側の側部樹脂片３２ｆと直線状樹脂片３２ｅとが位置して、これらの３つの樹脂片を介して荷重を負担する構成となる。
【００６９】
また、配置構成ＰＣ２タイプの移動台車３０Ａ上の前輪の下側には傾斜樹脂片３２ａａと外側の側部樹脂片３２ｂと傾斜樹脂片３２ｃａ、３２ｃａの閉じた部分とが位置しており、これらの４つの樹脂片を介して荷重を負担する構成となる。
【００７０】
同じく、移動台車３０Ａ上の後輪の下側には傾斜樹脂片３２ｇａと外側の側部樹脂片３２ｆと傾斜樹脂片３２ｅａ、３２ｅａの閉じた部分とが位置しており、これらの４つの樹脂片を介して荷重を負担する構成となる。
【００７１】
上記したように、トレッド幅が狭くホイールベース長さも短い小型の被洗浄車両ＣＡ１であっても、トレッド幅が広くホイールベース長さも長い大型の被洗浄車両ＣＡ２であっても、それぞれの前後輪の４輪部分を３個以上の潤滑性樹脂片を介して支持する構成となる。また、前後輪の間にも複数の潤滑性樹脂片を配設しているので、それぞれの被洗浄車両ＣＡ（ＣＡ１、ＣＡ２）の荷重をバランスよく均等に受けることができて、スムーズな摺動移動を行うことが可能になる。
【００７２】
複数の樹脂片から成る潤滑性樹脂３２を配設した移動台車３０Ａ、３０Ｂがスムーズに摺動移動するためには、潤滑性樹脂３２が接する面が平滑で滑りやすい面であることが好ましい。また、被洗浄車両ＣＡの荷重が付加されても凹んだり変形したりせずに堅固な面であることが好ましい。
【００７３】
そこで、本実施形態においてはコンクリート製の床に所定厚み（例えば、２〜３ｍｍ）のステンレス板を引いて摺動面を形成している。すなわち、図５に示すように、断面コの字状のステンレス板金製の床板３３をコンクリート床の上に敷設して移動台車３０Ａ、３０Ｂの摺動面を形成している。
【００７４】
潤滑性樹脂３２は低摩擦係数を有して滑りやすく、機械的強度も有することが求められるので、本実施形態ではＭＣナイロン（登録商標）を採用している。従って、床板３３はステンレス板から成り、潤滑性樹脂３２はＭＣナイロン（登録商標）から成る。この構成であれば、コンクリート床の上にステンレス板を敷設することにより、移動台車３０Ａ、３０Ｂが摺動移動する床板３３を容易に形成できる。また、ＭＣナイロン（登録商標）は、低摩擦特性と自己潤滑性を備えて高い潤滑性能を有することに加えて、機械的強度を有し、耐薬品性、耐熱性及び耐摩耗性等に優れているので、所定厚みの矩形状（例えば３０ｍｍ×３０ｍｍ程度）のＭＣナイロン（登録商標）から成る潤滑性樹脂３２は、洗車に用いる液剤に侵されず、車両などの重量物であっても確実に支持して容易に摺動移動できる。
【００７５】
上記したように本発明に係る洗車機ＷＡは、被洗浄車両ＣＡと洗車機本体１を前後方向に相対移動させながら被洗浄車両ＣＡの洗車を行う洗車機ＷＡであって、洗車機本体１とは別体の被洗浄車両ＣＡを載置して前後方向に移動させる車両移動装置３０を備え、洗車機本体１は被洗浄車両ＣＡを跨ぐ門型とされ、車両移動装置３０は門型の内部に設置され、車両移動装置３０は、被洗浄車両ＣＡを載置する移動台車３０Ａ、３０Ｂと該移動台車を移動させる直動移動手段４１Ａ、４１Ｂとを有し、移動台車３０Ａ、３０Ｂは床面に設置する床板３３上を滑って移動すると共に、床板３３に対面する下面側に、耐熱性と低摩擦特性と自己潤滑性を備えた潤滑性樹脂３２を備えたことを特徴としている。
【００７６】
この構成であれば、洗車機本体１に加えて車両移動装置３０を備えているので、洗車機本体１の移動距離を小さくできる。また、車両移動装置３０は、床板３３上を滑らせるようにして被洗浄車両ＣＡを載置した移動台車３０Ａ、３０Ｂを移動させるので、被洗浄車両ＣＡの高さを必要以上に高くせず、低く抑えることが可能になる。また、駆動モータやチェーンやプーリなどが不要になるので、設備コストを低減可能になる。従って、設備コストを低減でき、さらに、低床化を図ることが可能な洗車機ＷＡを得ることができる。
【００７７】
すなわち、本実施形態に係る洗車機ＷＡは、洗車機本体１の移動距離を小さくしても通常の洗車を行えるので、省スペース化を実現できる構成となる。また、洗車機本体１とは別置の車両移動装置３０を介して被洗浄車両ＣＡを移動できるので、洗車機本体１と被洗浄車両ＣＡとの相対位置を適宜変更して各種の洗車条件を容易に遂行可能になる。
【００７８】
以上、車両移動装置３０は左右一対の移動台車３０Ａ、３０Ｂを備え、直動移動手段４１Ａ、４１Ｂと潤滑性樹脂３２を介して摺動移動可能に構成されるとして説明したが、１台の移動台車に被洗浄車両ＣＡを載置して摺動移動させる構成であってもよい。例えば、１枚の上板３４に被洗浄車両ＣＡを載置する構成でもよい。
【００７９】
また、床板３３の側部にリニアガイドから成る直動ガイド部材３８を設けて移動台車３０Ａ、３０Ｂの移動をガイドするとして説明したが、これ以外の構成であってもよい。例えば、床板３３の側部もしくは上板３４の側部の前後方向に複数配設するベアリング部材を介して移動台車３０Ａ、３０Ｂの移動をガイドする構成であってもよい。
【００８０】
また、潤滑性樹脂３２は、移動台車３０Ａ、３０Ｂの上板３４には装着されているとして説明したが、潤滑性樹脂３２は、床板３３の上、および、移動台車の下面（上板３４の下面）、のいずれか一方、もしくは両方に配置できる。いずれの場合であっても、床板３３と移動台車３０Ａ、３０Ｂの下面との間に潤滑性樹脂が介装される構成であれば、移動台車３０Ａ、３０Ｂは容易に床板３３上を滑って移動できる。
【００８１】
いずれにしても、洗車機本体１とは別に、被洗浄車両ＣＡを移動可能な車両移動装置３０を備え、車両移動装置３０が洗車機本体１の門型の内部および移動範囲内に納まる大きさの洗車機ＷＡであれば、省スペース化を図ることが可能になる洗車機ＷＡを得ることができる。
【産業上の利用可能性】
【００８２】
そのために、本発明に係る洗車機は、洗車機本体とは別体の被洗浄車両を移動させる車両移動装置を備える洗車機に好適に適用される。
【符号の説明】
【００８３】
１    洗車機本体
４    トップブラシ
５    サイドブラシ
６    ロッカーブラシ
３０    車両移動装置
３０Ａ、３０Ｂ  移動台車
３２    潤滑性樹脂
３２ａ〜ｇ  樹脂片
３３    床板
３４    上板
３８    直動ガイド部材
３９    清掃部材
４１Ａ、４１Ｂ  直動移動手段
ＣＡ    被洗浄車両
Ｌ１    距離（洗車機本体１の移動距離）
Ｌ２    距離（移動台車の移動距離）
ＷＡ    洗車機
【図１】
2016034784.tif 000003
【図２】
2016034784.tif 000004
【図３】
2016034784.tif 000005
【図４】
2016034784.tif 000006
【図５】
2016034784.tif 000007
【図６】
2016034784.tif 000008
【図７Ａ】
2016034784.tif 000009
【図７Ｂ】
2016034784.tif 000010
【図８】
2016034784.tif 000011